(57)【要約】【課題】乗車券の不正使用を抑制することができる駅務機器、発券機、管理装置、および駅務システムを提供することである。【解決手段】実施形態の駅務機器は、駅務機器側通信部と、光学読取部と、処理部とを持つ。駅務機器側通信部は、乗車券により表示される表示オブジェクトにおいて、乗車券の効力情報をエンコードした情報が書き込まれた領域を指定する領域指定情報を管理装置から、受信する。光学読取部は、前記駅務機器側通信部により受信された領域指定情報に基づいて、前記表示オブジェクトから前記乗車券の効力情報を光学的に読み取る。処理部は、前記光学読取部によって読み取られた効力情報に基づいて、駅務処理を行う。【選択図】図１
2017167631.tif 000002
【特許請求の範囲】
【請求項１】
乗車券により表示される表示オブジェクトにおいて、乗車券の効力情報をエンコードした情報が書き込まれた領域を指定する領域指定情報を管理装置から、受信する駅務機器側通信部と、
前記駅務機器側通信部により受信された領域指定情報に基づいて、前記表示オブジェクトから前記乗車券の効力情報を光学的に読み取る光学読取部と、
前記光学読取部によって読み取られた効力情報に基づいて、駅務処理を行う処理部と、
を備える駅務機器。
【請求項２】
前記駅務機器側通信部は、前記表示オブジェクトにおいて、前記乗車券の効力情報を分割してエンコードした複数の情報が、それぞれ書き込まれた複数の領域を指定する情報を、前記領域指定情報として受信し、
前記光学読取部は、前記駅務機器側通信部により受信された領域指定情報に基づいて、前記表示オブジェクトにおける前記複数の領域から、前記乗車券の効力情報を光学的に読み取る、
請求項１記載の駅務機器。
【請求項３】
前記駅務機器側通信部は、前記表示オブジェクトにおいて、前記乗車券の効力情報をエンコードした情報が含まれないダミー領域の情報を含む前記領域指定情報を受信し、
前記光学読取部は、前記駅務機器側通信部により受信された領域指定情報に基づいて、前記表示オブジェクトから前記ダミー領域を除外して、前記乗車券の効力情報を光学的に読み取る、
請求項１又は請求項２記載の駅務機器。
【請求項４】
自動改札機として構成される請求項１乃至請求項３のいずれか１項記載の駅務機器であって、
前記処理部は、前記光学読取部によって読み取られた前記効力情報に基づいて、利用者の通過可否を判定する処理を、前記駅務処理として行う、
駅務機器。
【請求項５】
窓口処理機または精算機として構成される請求項１乃至請求項３のいずれか１項記載の駅務機器であって、
前記処理部は、前記光学読取部によって読み取られた前記効力情報に基づく精算処理を、前記駅務処理として行う、
駅務機器。
【請求項６】
乗車券として使用される媒体に表示オブジェクトを印刷する印刷部と、
前記表示オブジェクトにおいて、前記乗車券の効力情報をエンコードした情報を書き込む領域を指定する領域指定情報を管理装置から、受信する発券機側通信部と、
前記印刷部に、前記発券機側通信部によって前記管理装置から受信された領域指定情報に基づいて、前記媒体に前記表示オブジェクトを印刷させる印刷制御部と、
を備える発券機。
【請求項７】
前記発券機側通信部は、前記乗車券の効力情報を分割してエンコードした複数の情報を、それぞれ書き込む領域を指定する情報を、前記領域指定情報として受信し、
前記印刷制御部は、前記印刷部に、前記乗車券の効力情報を分割してエンコードした複数の情報を、前記表示オブジェクトにおける前記領域指定情報によって指定された領域に、それぞれ印刷させる、
請求項６記載の発券機。
【請求項８】
前記発券機側通信部は、前記表示オブジェクトにおいて、前記乗車券の効力情報をエンコードした情報を含ませないダミー領域の情報を含む前記領域指定情報を受信し、
前記印刷制御部は、前記印刷部に、前記媒体に前記表示オブジェクトを印刷させる際に、乗車券の効力情報をエンコードした情報を、前記ダミー領域以外の領域に印刷させる、
請求項６又は請求項７記載の発券機。
【請求項９】
発券機および駅務機器と通信する管理装置側通信部と、
乗車券に表示される表示オブジェクトにおいて、前記乗車券の効力情報をエンコードした情報を書き込む領域を指定する第１の領域指定情報を、前記管理装置側通信部を用いて前記発券機に送信すると共に、
前記乗車券に表示される表示オブジェクトにおいて、前記乗車券の効力情報をエンコードした情報を書き込まれた領域を指定する第２の領域指定情報であって、前記第１の領域指定情報と同じ領域を指定する前記第２の領域指定情報を、前記管理装置側通信部を用いて前記駅務機器に送信する制御部と、
を備える管理装置。
【請求項１０】
前記制御部は、
前記乗車券の効力情報を分割してエンコードした複数の情報を、それぞれ書き込む領域を指定する情報を、前記第１の領域指定情報として、前記管理装置側通信部を用いて前記発券機に送信すると共に、
前記乗車券の効力情報を分割してエンコードした複数の情報が、それぞれ書き込まれる領域を指定する情報を、前記第２の領域指定情報として、前記管理装置側通信部を用いて前記駅務機器に送信する、
請求項９記載の管理装置。
【請求項１１】
前記制御部は、
前記乗車券の効力情報をエンコードした情報を書き込ませないダミー領域を指定する情報を含む前記第１の領域指定情報を、前記管理装置側通信部を用いて前記発券機に送信すると共に、
前記乗車券の効力情報をエンコードした情報が書き込まれていないダミー領域を指定する情報を含む第２の領域指定情報を、前記管理装置側通信部を用いて前記駅務機器に送信する、
請求項９又は請求項１０記載の管理装置。
【請求項１２】
前記制御部は、前記第１の領域指定情報と、前記第２の領域指定情報とを、所定周期で変更する、
請求項９乃至請求項１１のいずれか１項記載の管理装置。
【請求項１３】
発券機および駅務機器と通信する管理装置側通信部と、
前記発券機から送信された要求信号に基づいて、乗車券に表示される表示オブジェクトにおいて、前記乗車券の効力情報をエンコードした情報を書き込む領域を指定する領域指定情報を、前記管理装置側通信部を用いて、前記発券機に送信すると共に、
前記駅務機器の光学読取部によって光学的に読み取られた前記乗車券に符号化された情報を前記駅務機器から取得し、前記駅務機器から取得した情報と、前記領域指定情報に基づいて、前記駅務機器から取得した情報に含まれる効力情報を取得し、取得した効力情報に基づいて、利用者の通過可否を判定し判定結果を、前記管理装置側通信部を用いて、前記駅務機器に送信する制御部と、
を備える管理装置。
【請求項１４】
請求項１記載の駅務機器と、
請求項６記載の発券機と、
請求項９記載の管理装置と、
を備える駅務システム。
【発明の詳細な説明】
【技術分野】
【０００１】
本発明の実施形態は、駅務機器、発券機、管理装置、および駅務システムに関する。
【背景技術】
【０００２】
ＱＲコード（登録商標）やバーコードなどのコード情報を乗車券に印刷して駅務処理を行う技術について実用化が進められている。この種の乗車券を使用する場合、コピーによる不正使用を抑制する必要がある。
【先行技術文献】
【特許文献】
【０００３】
【特許文献１】特開２００９−４１３２１号公報
【特許文献２】特開２０１５−１８７８９０号公報
【特許文献３】特開２００７−２０６７６２号公報
【発明の概要】
【発明が解決しようとする課題】
【０００４】
本発明が解決しようとする課題は、乗車券の不正使用を抑制することができる駅務機器、発券機、管理装置、および駅務システムを提供することである。
【課題を解決するための手段】
【０００５】
実施形態の駅務機器は、駅務機器側通信部と、光学読取部と、処理部とを持つ。駅務機器側通信部は、乗車券により表示される表示オブジェクトにおいて、乗車券の効力情報をエンコードした情報が書き込まれた領域を指定する領域指定情報を管理装置から、受信する。光学読取部は、前記駅務機器側通信部により受信された領域指定情報に基づいて、前記表示オブジェクトから前記乗車券の効力情報を光学的に読み取る。処理部は、前記光学読取部によって読み取られた効力情報に基づいて、駅務処理を行う。
【図面の簡単な説明】
【０００６】
【図１】駅務システム１の構成を示す図。
【図２】発券機１００の機能構成の一例を示す図。
【図３】発券機１００で発券される乗車券ＴＩＸの一例を示す図。
【図４】管理装置６００の構成の一例を示す図。
【図５】自動改札機２００の機能構成を示す図。
【図６】自動改札機２００の制御部２５０を中心とした機能構成を説明するための図。
【図７】発券機１００、自動改札機２００、および管理装置６００により実行される処理の流れを示すシーケンス図。
【図８】情報テーブルＩＴの一例を示す図。
【図９】精算機３００の機能構成を示す図。
【図１０】第２の実施形態の乗車券ＴＩＸの一例を示す図。
【図１１】効力情報が書き込まれる領域を固定した表示オブジェクトＯＢの一例を示す図。
【図１２】第３の実施形態の発券機１００、および管理装置６００により実行される処理の流れを示すシーケンス図。
【図１３】第４の実施形態の自動改札機２００、および管理装置６００により実行される処理の流れを示すシーケンス図。
【発明を実施するための形態】
【０００７】
以下、実施形態の駅務機器、発券機、管理装置、および駅務システムを、図面を参照して説明する。
【０００８】
（第１の実施形態）
図１は、駅務システム１の構成を示す図である。駅務システム１は、例えばＡ駅システム１０Ａ、Ｂ駅システム１０Ｂ、および管理装置６００を備える。Ａ駅システム１０Ａと、Ｂ駅システム１０Ｂと、管理装置６００との間では、ネットワークＮＷを介した通信が行われる。ネットワークＮＷは、例えばＷＡＮ（Wide Area Network）や、ＶＰＮ（Virtual Private Network）、ＬＡＮ（Local Area Network）、専用線等を含む。
【０００９】
なお、図１では、２つの駅に備えられる駅システムが存在することを例示したが、駅務システム１は、３以上の駅に備えられる駅システムを含んでよい。以下、Ａ駅システム１０ＡおよびＢ駅システム１０Ｂを区別しない場合は、単に駅システム１０と表記する。また、駅システム１０が備える同様の名称である機能構成についても同様に、駅を区別する符号「Ａ」または「Ｂ」を省略して説明する。
【００１０】
以下、駅システムを区別せずに説明をおこなう。駅システム１０は、例えば発券機１００と、自動改札機２００と、精算機３００と、窓口処理機４００と、中継装置５００とを備える。自動改札機２００、精算機３００、および窓口処理機４００は、「駅務機器」の一例である。「駅務処理」とは、処理対象の乗車券ＴＩＸを用いて利用者が当該駅に入場、または当該駅から出場できるか否かを判定すること、または利用者が当該駅から出場するための条件（精算額など）を取得することである。
【００１１】
中継装置５００は、発券機１００、自動改札機２００、精算機３００、または窓口処理機４００とＬＡＮ等のネットワークを介して通信を行う。また、中継装置５００は、発券機１００、自動改札機２００、精算機３００、または窓口処理機４００から受信した情報を、ネットワークＮＷを介して管理装置６００に送信する。また、中継装置５００は、管理装置６００から受信した情報を発券機１００、自動改札機２００、精算機３００、または窓口処理機４００に送信する。また、中継装置５００は、以下に説明する管理装置６００と同等の機能（領域指定情報を発券機１００、自動改札機２００、精算機３００、または窓口処理機４００に配信する機能）を有してもよい。
【００１２】
（発券機）
図２は、発券機１００の機能構成の一例を示す図である。発券機１００は、例えば、入力部１０２と、購入画面表示部１０４と、金銭投入口１０８と、釣銭排出口１１０と、乗車券排出口１１２と、検銭部１１８と、ロール紙格納部１２０と、裁断部１２２と、乗車券発行部１２４と、発券機側制御部１３０と、発券機側記憶部１４０と、発券機側通信部１５０とを備える。
【００１３】
入力部１０２は、例えば、ボタン、キーボード、マウス、マイク、タッチパネル等のユーザインターフェースである。なお、購入画面表示部１０４がタッチパネルの場合、入力部１０２は、購入画面表示部１０４の一部機能であってもよい。入力部１０２は、例えば、利用者から、乗車券である乗車券ＴＩＸの購入を指示する入力を受け付ける。
【００１４】
購入画面表示部１０４は、例えば、ＬＣＤ（Liquid Crystal Display）や有機ＥＬ（Electroluminescence）ディスプレイなどの表示装置を含む。購入画面表示部１０４は、発券機側制御部１３０によって出力される情報に基づいて、乗車券ＴＩＸを購入するための画像を表示する。以下、購入画面表示部１０４を、上述した入力部１０２と機能が一体となったタッチパネル部と称して説明する。
【００１５】
検銭部１１８は、金銭投入口１０８に投入された金銭を計数し、計数結果を発券機側制御部１３０に出力する。検銭部１１８は、発行制御部１３４の処理結果に基づいて、釣銭排出口１１０から釣銭を排出させる。
【００１６】
ロール紙格納部１２０には、ロール紙が格納される。ロール紙は、切断されることで乗車券ＴＩＸとなる乗車券用紙である。裁断部１２２は、ロール紙を所定の大きさ（乗車券ＴＩＸの大きさ）に裁断する。
【００１７】
乗車券発行部（印刷部）１２４は、後述する領域指定情報によって指定された領域に効力情報を符号化（エンコード）した表示オブジェクトＯＢを生成する。乗車券発行部１２４は、発券機側制御部（印刷制御部）１３０による制御によって、裁断部１２２により裁断されたロール紙（媒体）に、生成した表示オブジェクトＯＢを印刷する。乗車券発行部１２４は、乗車券ＴＩＸを乗車券排出口１１２から排出する。これによって、乗車券発行部１２４は、乗車券ＴＩＸを発行する。
【００１８】
図３は、発券機１００で発券される乗車券ＴＩＸの一例を示す図である。乗車券ＴＩＸには、表示オブジェクトＯＢが印刷されている。「表示オブジェクト」とは、例えば、情報が符号化された二次元のＱＲコードである。なお、表示オブジェクトＯＢは、一次元のバーコードであってもよい。表示オブジェクトＯＢは、機械によって内容が認識可能であると共に、人が視認することによって内容が認識できないものであれば如何なる態様であってもよい。
【００１９】
「表示オブジェクト」には、乗車券ＴＩＸの効力を示す効力情報が符号化されている。「効力情報」とは、例えば乗車券ＴＩＸを用いて利用することができる区間を示す区間情報や、乗車券ＩＤ（乗車券識別情報）、乗車券ＴＩＸの発行日時を表す情報等である。また、区間情報は、乗車券ＴＩＸを発行した発券機１００が設置された駅の識別情報および出場駅の識別情報を含んでもよいし、発券機１００が設置された駅（例えばＸ駅）の識別情報および「Ｘ駅からＹ円区間」といった料金情報を含んでもよい。また、区間情報は、入場駅の識別情報と、出場駅の識別情報とを含んでいてもよい。
【００２０】
「領域指定情報」とは、乗車券ＴＩＸの効力情報を符号化した情報が書き込まれた領域を指定する情報である。例えば、日ごとに、領域指定情報によって指定された領域が変更される場合、図示するように○月○日に生成された表示オブジェクトＯＢの領域ＶＡと、×月×日に生成された表示オブジェクトＯＢの領域ＶＡとは異なる位置となる。
【００２１】
また、「領域指定情報」は、効力情報が符号化された情報が含まれないダミー領域の情報を含んでいてもよい。例えば「領域指定情報」は、効力情報が書き込まれた領域を指定する情報に代えて、ダミー領域の情報を含む。この場合、発券機１００の乗車券発行部１２４は、領域指定情報に含まれるダミー領域を除外した領域に効力情報を符号化した表示オブジェクトＯＢを生成する。
【００２２】
図２の説明に戻る。発券機側制御部１３０は、例えば、発券機側表示制御部１３２と、発行制御部１３４とを備える。発券機側表示制御部１３２は、乗車券ＴＩＸの購入画面をタッチパネル部に表示させる。発行制御部１３４は、タッチパネル部に入力された、利用区間等に基づいて、乗車券ＴＩＸの発行に要する購入金額を算出する。このとき発券機側表示制御部１３２は、発行制御部１３４によって算出された購入金額をタッチパネル部に表示させる。これによって、金銭投入口１０８には、これらに対応する貨幣が投入される。なお、発券機１００において、電子マネーをチャージしたＩＣカードをかざすことによる入金が行われてもよい。
【００２３】
発行制御部１３４は、検銭部１１８による計数結果を参照し、算出した購入金額を満たすか否かを判定する。発行制御部１３４は、計数結果が購入金額を満たす場合、領域指定情報によって指定された領域に効力情報を符号化した二次元コードを生成し、生成した二次元コードを乗車券発行部１２４に出力して乗車券ＴＩＸを発行させる。発券機側記憶部１４０は、プロセッサが実行するプログラムを格納する他、各駅間の運賃が記憶された発券機側運賃テーブル１４２を格納する。
【００２４】
発券機側通信部１５０は、中継装置５００を介して管理装置６００と通信する。
【００２５】
（管理装置）
図４は、管理装置６００の構成の一例を示す図である。管理装置６００は、管理装置側通信部６１０と、管理装置側制御部６１２と、管理装置記憶部６２０とを含む。管理装置側通信部６１０は、ネットワークＮＷを介して中継装置５００と通信する。
【００２６】
管理装置側制御部６１２は、管理装置記憶部６２０に格納された領域指定情報（第１の領域指定情報）を、管理装置側通信部６１０を用いて発券機１００に送信する。管理装置側制御部６１２は、発券機１００に送信した領域指定情報と同じ領域を指定する領域指定情報（第２の領域指定情報）を、管理装置側通信部６１０を用いて中継装置５００に送信する。中継装置５００は、受信した情報を自動改札機２００、精算機３００、および窓口処理機４００のうち一部または全部に送信する。例えば管理装置側制御部６１２は、その日に使用する領域指定情報を早朝の始発電車の発車前に、中継装置５００を介して発券機１００や、自動改札機２００等に送信する。また、管理装置側制御部６１２は、領域指定情報を週に一度や、２日おき等の間隔で、中継装置５００を介して発券機１００や、自動改札機２００等に送信してもよい。
【００２７】
管理装置記憶部６２０は、例えば、ＲＯＭ（Read Only Memory）、フラッシュメモリ、ＨＤＤ（Hard Disk Drive）、ＳＤカード等の不揮発性の記憶媒体と、ＲＡＭ（Random Access Memory）、レジスタ等の揮発性の記憶媒体とによって実現される。管理装置記憶部６２０は、プロセッサが実行するプログラムや、領域指定情報テーブル６３０等を格納する。領域指定情報テーブル６３０は、ある期間ごとに対応付けられた領域指定情報が記憶されている。なお、領域指定情報は、必要なときに管理装置６００によって乱数または所定のアルゴリズムを利用して生成されてもよい。
【００２８】
（自動改札機）
図５は、自動改札機２００の機能構成を示す図である。自動改札機２００は、リーダ２１２と、通過センサ２１８−１から２１８−４と、上面表示部２２０と、正面表示部２２２と、扉部２２４Ａおよび２２４Ｂと、制御部２５０とを含んでよいが、これに限られない。
【００２９】
自動改札機２００のリーダ２１２は、図５のａ方向に通過しようとする利用者によって提示された乗車券ＴＩＸに表示された表示オジェクトＯＢを読み取って、読み取った情報を制御部２５０に供給する。
【００３０】
リーダ２１２は、タッチ検出センサ２１３と、光学読取部２１４と、ライト２１５とを含んでよいが、これに限られない。タッチ検出センサ２１３は、パネル状に形成され、利用者の体の一部（例えば手）が触れたか否かを検出する検出面を有する。タッチ検出センサ２１３は、利用者が乗車券ＴＩＸをリーダ２１２に提示する際にパネルの検出面に手を触れた場合に、検出面がタッチされている旨を示す検出信号を生成する。これにより、タッチ検出センサ２１３は、利用者によって乗車券ＴＩＸがリーダ２１２に提示されたことを検出する。
【００３１】
タッチ検出センサ２１３は、例えば、抵抗膜型や、表面弾性波型、電磁誘導型、静電容量型等のタッチパネルである。また、タッチ検出センサ２１３は、可視光を透過可能な透明（または半透明）型のパネルであり、これを透過した表示オブジェクトＯＢの撮像を可能とする。なお、自動改札機２００は、タッチ検出センサ２１３に代えて、対象物（例えば手）の接近を検出する接近検出センサにより、利用者によって乗車券ＴＩＸがリーダ２１２に提示された（利用者の手が所定距離以内まで接近した）ことを検出する構成を有してもよい。接近検出センサは、例えば、赤外線センサやステレオカメラ等により実現される。
【００３２】
光学読取部２１４は、ＣＣＤ（Charge Coupled Device）やＣＭＯＳ（Complementary Metal Oxide Semiconductor）等の固体撮像素子を備えたカメラを含む。また、光学読取部２１４は、バーコードリーダのように受光素子と増幅器、情報解読部（デコード部）等を備えるものであってもよい。
【００３３】
光学読取部２１４は、利用者によって、リーダ２１２に表示面を向けて翳された乗車券ＴＩＸに表示された表示オブジェクトＯＢを撮像する。光学読取部２１４は、撮像した画像を制御部２５０に供給する。ライト２１５は、光学読取部２１４が乗車券ＴＩＸを撮像する際に、乗車券ＴＩＸに向けて光を照射する。
【００３４】
通過センサ２１８−１から２１８−４は、例えば自動改札機２００の通路側の側面に複数設けられる。複数の通過センサ２１８は、自動改札機２００により形成された通路内の利用者を検出する。通過センサ２１８は、例えば赤外線センサや、光センサなどで実現される。通過センサ２１８は、対向する補機に設けられた通過センサと連携して通路内の利用者を検出するものであってもよい。なお、自動改札機２００は、任意の数の通過センサを備えてよい。以下、通過センサを他の通過センサと区別しない場合は、ハイフン（−）以下の符号を省略し、単に通過センサ２１８と表記する。
【００３５】
上面表示部２２０は、リーダ２１２に乗車券ＴＩＸが提示された場合に、制御部２５０によって処理された結果を表示する。正面表示部２２２は、図５のａ方向に通過可能であるか否かを示すマークや図形、文字等を表示する。正面表示部２２２の表示内容または表示の有無は、制御部２５０によって決定される。なお、自動改札機２００は、音声や、光で情報を出力する情報出力部（不図示）を備えてもよい。この場合、制御部２５０は、情報出力部を制御して、情報出力部に音声や光の点灯等によって情報を出力させる。
【００３６】
自動改札機２００の制御部２５０は、扉部２２４Ａおよび対向する補機の扉部２２４Ｂを開放状態または閉止状態に制御することで、図５のａ方向に通過しようとしている利用者の通過を許可または禁止する。以下、扉部２２４Ａおよび２２４Ｂを区別しない場合は、ＡまたはＢの符号を省略し、単に扉部２２４と表記する。
【００３７】
なお、自動改札機２００は表示オブジェクトＯＢが表示された券（コード券）の専用機であるものとして説明したが、自動改札機２００は、ＩＣカードと、コード券との双方を処理可能な併用機であってもよい。また、自動改札機２００は、利用者の一方向の通過のみ許可するものに限らず、主機と従機を備えることによって、利用者の双方向の通過を許可するものであってもよい。
【００３８】
図６は、自動改札機２００の制御部２５０を中心とした機能構成を説明するための図である。自動改札機２００の制御部２５０は、改札機側記憶部２５２と、画像処理部２５８と、改札処理部２６０と、通過制御部２７０とを含んでよいが、これに限られない。画像処理部２５８、改札処理部２６０、および通過制御部２７０は、ＣＰＵ（Central Processing Unit）等のプロセッサがプログラムを実行することで実現されてよい。また、これらの機能部のうち一部または全部は、ＬＳＩ（Large Scale Integration）やＡＳＩＣ（Application Specific Integrated Circuit）、ＦＰＧＡ（Field-Programmable Gate Array）等のハードウェアで実現されてもよい。
【００３９】
改札機側記憶部２５２は、例えば、ＲＯＭ、フラッシュメモリ、ＨＤＤ、ＳＤカード等の不揮発性の記憶媒体と、ＲＡＭ、レジスタ等の揮発性の記憶媒体とによって実現される。改札機側記憶部２５２は、プロセッサが実行するプログラムや、各駅間（または利用距離ごと）の料金が記憶された運賃テーブル２５４を格納する他、自機が設置された駅の識別情報や、自機の識別情報等を格納する。また、改札機側記憶部２５２は、管理装置６００から送信された領域指定情報を格納する。
【００４０】
画像処理部２５８は、光学読取部２１４により撮像された画像から得られる電子情報に対してデコード等の処理を行い、ビット列などで表されるコンピュータが認識可能な情報に変換する。電子情報とは、例えば、画像の画素情報を配列化した情報である。画像処理部２５８は、乗車券ＴＩＸに表示された表示オブジェクトＯＢに符号化された情報の内容を読み取る。例えば、画像処理部２５８は、光学読取部２１４により撮像された画像から領域指定情報により指定された領域を含む画像を切り出して、切り出した画像から得られる電子情報に対してデコード処理等を行い、ビット列などで表される情報に変換する。画像処理部２５８は、変換した情報から利用者が利用可能な区間を示す区間情報等を認識する。なお、このような画像解析の機能を、光学読取部２１４が備えてもよい。
【００４１】
また、画像処理部２５８は、光学読取部２１４により撮像された画像全体から得られる電子情報に対してデコード処理等を行い、ビット列などで表される情報に変換してもよい。この場合、画像処理部２５８は、変換したビット列から領域指定情報に対応する部分を抽出し、抽出した部分から区間情報等を認識する。
【００４２】
また、領域指定情報が、ダミー領域が指定された情報である場合、画像処理部２５８は、領域指定情報に含まれるダミー領域を除外した領域を含む画像を切り出して、切り出した画像から得られる情報に基づいて、区間情報等を認識する。
【００４３】
改札処理部２６０は、画像処理部２５８により認識された区間情報に基づいて、利用者が入場可能か否か、或いは出場可能か否かを判定する。
【００４４】
通過制御部２７０は、改札処理部２６０の判定結果に基づいて、利用者の通過を許可、または禁止する制御を実行する。また、通過制御部２７０は、画像処理部２５８によって表示オブジェクトＯＢが認識されない場合、または認識された表示オブジェクトＯＢがデコードされない場合、通過センサ２１８により利用者が検出されると、利用者の通過を禁止する制御を行う。利用者の通過を禁止する制御をする場合、通過制御部２７０は、扉部２２４を閉止状態にしたり、上面表示部２２０に通過を不許可とする表示をさせたりする。利用者の通過を許可する制御をする場合、通過制御部２７０は、扉部２２４を開放状態にしたり、上面表示部２２０に通過を許可とする表示をさせたりする。
【００４５】
また、自動改札機２００は、中継装置５００を介して管理装置６００と通信する改札機側通信部２８０を備える。改札機側通信部２８０は、画像処理部２５８により読み取られた情報や、改札処理部２６０の処理結果、自機の識別情報等を管理装置６００に送信する。また、改札機側通信部２８０は、管理装置６００から領域指定情報を取得する。
【００４６】
図７は、発券機１００、自動改札機２００、および管理装置６００により実行される処理の流れを示すシーケンス図である。
【００４７】
まず、管理装置６００が、所定時刻になるまで待機する（ステップＳ１００）。所定時刻になると、管理装置６００の管理装置側制御部６１２が、領域指定情報テーブル６３０から領域指定情報を取得し（ステップＳ１０２）、取得した領域指定情報を発券機１００に送信する（ステップＳ１０４）。また、管理装置側制御部６１２は、領域指定情報を自動改札機２００に送信する（ステップＳ１０６）。
【００４８】
発券機１００が、管理装置６００により送信された領域指定情報を取得すると、発券機側記憶部１４０に領域指定情報を格納する（ステップＳ１０８）。一方、自動改札機２００は、管理装置６００により送信された領域指定情報を取得すると、改札機側記憶部２５２に領域指定情報を格納する（ステップＳ１１０）。
【００４９】
上述した処理がされた後、発券機１００が、乗車券ＴＩＸの購入を指示する入力を受け付けるまで待機する（ステップＳ１１２）。乗車券ＴＩＸの購入を指示する入力を受け付けると、発券機１００の発行制御部１３４が、ステップＳ１１２で受け付けた情報、発券機側記憶部１４０に記憶された領域指定情報、および発券機側記憶部１４０に記憶された発券機側運賃テーブル１４２に基づいて、領域指定情報によって指定された領域に効力情報が書き込まれた表示オブジェクトＯＢを生成し、生成した表示オブジェクトＯＢが表示された乗車券ＴＩＸを乗車券発行部１２４に発行させる（ステップＳ１１４）。そして、利用者は、発券機１００により発行された乗車券ＴＩＸを受け取る。
【００５０】
自動改札機２００は、発券機１００により発券された乗車券ＴＩＸがリーダ２１２に翳されるまで待機する（ステップＳ１１６）。利用者により乗車券ＴＩＸが翳されると、画像処理部２５８が、リーダ２１２により取得された画像をステップＳ１１０で取得した領域指定情報に基づいて解析し、乗車券ＴＩＸに表示された表示オブジェクトＯＢに符号化された情報を取得する（ステップＳ１１８）。表示オブジェクトＯＢに符号化された情報を取得することができなかった場合、改札処理部２６０は、扉部２２４を閉止状態にしたり、再度、表示オブジェクトＯＢをリーダ２１２に翳すように促す情報を上面表示部２２０に表示させたりする。
【００５１】
表示オブジェクトＯＢに符号化された情報を取得することができた場合、改札処理部２６０は、ステップＳ１１８で取得した情報、および改札機側記憶部２５２に記憶された運賃テーブル２５４に基づいて、利用者の入場（または出場）を許可することができるか否かを判定し、判定結果に基づく制御を実行する（ステップＳ１２０）。改札処理部２６０は、効力情報が利用者の入場（または出場）を許可することができる条件を満たすか否かを判定する。
【００５２】
当該駅が入場駅である場合、当該駅が区間情報の示す区間に収まっている場合、改札処理部２６０は、扉部２２４を開放状態にし、利用者の通過を許可する。当該駅が区間情報の示す区間に収まっていない場合、改札処理部２６０は、扉部２２４を閉止状態にし、利用者の通過を許可しない。
【００５３】
当該駅が出場駅である場合、当該駅が区間情報の示す区間に収まっている場合、改札処理部２６０は、扉部２２４を開放状態にし、利用者の通過を許可する。当該駅が区間情報の示す区間に収まっていない場合、改札処理部２６０は、扉部２２４を閉止状態にし、利用者の通過を許可しない。なお、区間情報が入場駅（または出場駅）を示す情報である場合、改札処理部２６０は、当該駅が区間情報の示す入場駅（または出場駅）であるか否かに基づいて、利用者の通過を許可するか否かの判定を行う。
【００５４】
図７のシーケンス図で示した処理の流れの別の例について説明する。本処理では、例えば発券機１００の発券機側記憶部１４０および自動改札機２００の改札機側記憶部２５２には、領域指定情報およびキーコードが互いに対応付けられた情報テーブルＩＴが格納される。キーコードとは、領域指定情報を特定するための情報である。図８は、情報テーブルＩＴの一例を示す図である。
【００５５】
管理装置６００は、キーコードを発券機１００、および自動改札機２００に送信する（ステップＳ１０４、Ｓ１０６）。発券機１００は、送信されたキーコードを発券機側記憶部１４０に格納し（ステップＳ１０８）、自動改札機２００は、送信されたキーコードを自動改札機側記憶部２５２に格納する（ステップＳ１１０）。
【００５６】
発券機１００が、乗車券ＴＩＸの購入を指示する入力を受け付けるまで待機する（ステップＳ１１２）。発券機１００が乗車券ＴＩＸの購入を指示する入力を受け付けると、発券機１００の発行制御部１３４が、ステップＳ１１２で受け付けた情報、発券機側記憶部１４０に記憶されたキーコードに対応付けられた領域指定情報、および発券機側記憶部１４０に記憶された発券機側運賃テーブル１４２に基づいて、領域指定情報によって指定された領域に効力情報が書き込まれた表示オブジェクトＯＢが表示された乗車券ＴＩＸを乗車券発行部１２４に発行させる。
【００５７】
自動改札機２００は、発券機１００により発券された乗車券ＴＩＸがリーダ２１２に翳されるまで待機する（ステップＳ１１６）。自動改札機２００に利用者により乗車券ＴＩＸが翳されると、画像処理部２５８が、キーコードに対応付けられた領域指定情報に基づいて、リーダ２１２により取得された画像を解析し、乗車券ＴＩＸに表示された表示オブジェクトＯＢに符号化された情報を取得する（ステップＳ１１８）。表示オブジェクトＯＢに符号化された情報を取得することができた場合、改札処理部２６０は、ステップＳ１１８で取得した情報、および改札機側記憶部２５２に記憶された運賃テーブル２５４に基づいて、利用者の入場（または出場）を許可することができるか否かを判定し、判定結果に基づく制御を実行する（ステップＳ１２０）。
【００５８】
（精算機）
図９は、精算機３００の機能構成を示す図である。精算機３００は、例えば、入力部３０２と、購入画面表示部３０４と、金銭投入口３０６と、釣銭排出口３０８と、検銭部３１０と、精算機側リーダ３１２と、精算機側画像処理部３１４と、出場券発行部３１６と、出場券排出部３１８と、精算機側制御部３２０と、精算機側記憶部３４０とを含んでもよいが、これに限定されない。
【００５９】
入力部３０２、購入画面表示部３０４、金銭投入口３０６、釣銭排出口３０８、および検銭部３１０の機能構成は、それぞれ入力部１０２、購入画面表示部１０４、金銭投入口１０８、釣銭排出口１１０、および検銭部１１８の機能構成と同様であるため、説明を省略する。
【００６０】
精算機側リーダ３１２は、例えばタッチ検出センサと、光学読取部と、ライトとを含む。精算機側リーダ３１２のタッチ検出センサと自動改札機２００のリーダ２１２のタッチ検出センサ２１３との機能、精算機側リーダ３１２の光学読取部と自動改札機２００の光学読取部２１４との機能、および精算機側リーダ３１２のライトと自動改札機２００のライト２１５との機能は、同様であるため説明を省略する。
【００６１】
精算機側画像処理部３１４は、精算機側リーダ３１２の光学読取部により撮像された画像から表示オブジェクトＯＢを認識し、認識した表示オブジェクトＯＢをデコードして、ビット列などで表されるコンピュータが認識可能な情報に変換する。精算機側画像処理部３１４は、乗車券ＴＩＸに表示された表示オブジェクトＯＢに符号化された情報の内容を読み取る。例えば、精算機側画像処理部３１４は、精算機側リーダ３１２により撮像された画像から領域指定情報により指定された領域を含む画像を切り出して、切り出した画像から得られる電子情報に対してデコード処理等を行い、ビット列などで表される情報に変換する。精算機側画像処理部３１４は、変換した情報から利用者が利用可能な区間を示す区間情報等を認識する。
【００６２】
また、領域指定情報が、ダミー領域が指定された情報である場合、精算機側画像処理部３１４は、領域指定情報に含まれるダミー領域を除外した領域を含む画像を切り出して、切り出した画像から得られる情報に基づいて、区間情報等を認識する。
【００６３】
出場券発行部３１６は、領域指定情報によって指定された領域に効力情報を符号化した表示オブジェクトＯＢを生成する。出場券発行部３１６は、精算機側制御部３２０による制御によって、予めセットされた印紙に表示オブジェクトＯＢを画像として形成（印刷）する。出場券発行部３１６は、表示オブジェクトＯＢを形成した印紙、すなわち出場券を出場券排出口３１８から排出する。これによって、出場券発行部３１６は、当該駅から出場するための出場券を発行する。
【００６４】
精算機側制御部３２０は、例えば、精算機側表示制御部３２２と、精算処理部３２４と、精算機側発行制御部３２６とを含んでもよいが、これに限定されない。
【００６５】
精算機側表示制御部３２２は、精算処理部３２４の処理結果である精算処理の画面をタッチパネル部に表示させる。精算処理部３２４は、精算機側記憶部３４０に記憶された情報を参照し、乗車券ＴＩＸに表示された表示オブジェクトＯＢに符号化された区間情報と、精算機３００が設置された当該駅と、乗車券ＴＩＸが発行された駅とに基づいて、当該駅から出場するに必要な金額を導出する（精算処理）。このとき精算機側表示制御部３２２は、精算処理部３２４によって導出された金額をタッチパネル部に表示させる。利用者よって、これらに対応する金銭が金銭投入口３０６に投入されると、精算処理部３２４は、検銭部３１０による計数結果を参照し、導出した購入金額を満たすか否かを判定する。精算処理部３２４は、計数結果が購入金額を満たす場合、精算機側発行制御部３２６に出場券を発行させる。
【００６６】
利用者によって投入された金銭が購入金額を満たす場合、精算処理部３２４は、当該駅から利用者が出場するための出場券情報を生成し、生成した出場券情報を符号化して二次元コードを生成する。精算処理部３２４は、この二次元コードを印刷用の表示オブジェクトＯＢとして精算機側発行制御部３２６に出力する。
【００６７】
精算機側記憶部３４０は、プロセッサが実行するプログラムを格納する他、運賃テーブル３４２や、管理装置６００から取得した領域識別情報を格納する。精算機側通信部３５０は、中継装置５００を介して管理装置６００と通信する。
【００６８】
（窓口処理機）
窓口処理機４００は、駅に設置された自動改札機２００とは異なる箇所、例えば駅構内と駅構外を接続する空間に設置される。係員は、例えば、窓口処理機４００が設置された空間に滞在し、必要に応じて窓口処理機４００を操作する。
【００６９】
窓口処理機４００の基本的な機能構成は、精算機３００の機能構成と同様であるため、相違点を中心に説明する。窓口処理機４００は、精算機３００のタッチパネル部に代えて、係員用表示／入力部を有する。係員用表示／入力部は、例えば、窓口処理機４００の制御部の指示に基づいて画像を表示すると共に、係員の操作を受け付ける。また、窓口処理機４００は、係員ＩＤ読取部を有する。係員ＩＤ読取部は、係員を識別する係員識別カードに記憶された情報を読み取る。係員ＩＤ読取部は、読み取った係員識別カードに記憶された情報を制御部へ出力する。窓口処理機４００の制御部は、記憶部に記憶された係員を識別する情報と、係員ＩＤ読取部により読み取られた情報とが一致する場合、係員用表示／入力部に対する操作入力を受け付ける。
【００７０】
窓口処理機４００は、精算機側リーダ３１２と同様のリーダを有し、このリーダは、管理装置６００から取得した領域指定情報に基づいて表示オブジェクトＯＢに符号化された効力情報を読み取る。窓口処理機４００の制御部は、読み取られ効力情報に基づいて、精算処理を行う。窓口処理機４００の記憶部には、管理装置６００から取得した領域識別情報が格納される。
【００７１】
以上説明した第１の実施形態によれば、乗車券ＴＩＸの不正使用を抑制することができる。例えば、コピーされた乗車券ＴＩＸが異なる日に使用されても、駅務機器は、効力情報を正しく読み取ることができないため、コピーされた乗車券ＴＩＸの不正使用が抑制される。
【００７２】
（第２の実施形態）
以下、第２の実施形態について説明する。ここでは、第１の実施形態との相違点を中心に説明し、第１の実施形態と共通する機能等についての説明は省略する。第１の実施形態では、領域指定情報は、効力情報を符号化した情報が書き込まれた領域を指定する情報であるものとしたが、第２の実施形態では、領域指定情報は、効力情報を分割して符号化した複数の情報を、それぞれ書き込む領域を指定する情報である。
【００７３】
第２の実施形態の領域指定情報は、効力情報を分割した複数の情報を符号化し、符号化した複数の情報を、それぞれ書き込む領域を指定する情報である。
【００７４】
第２の実施形態において、発券機１００の乗車券発行部１２４は、効力情報に含まれる複数の情報を、それぞれ指定された領域に書き込むことによって表示オブジェクトＯＢを生成する。図１０は、第２の実施形態の乗車券ＴＩＸの一例を示す図である。乗車券発行部１２４は、例えば効力情報に含まれる（１）乗車券ＴＩＸが発行された発行年、（２）発行月、（３）発行時刻、（４）区間情報を、この順で領域指定情報によって指定された領域ＶＡ（１）から（４）にそれぞれ書き込む。
【００７５】
例えば、日ごとに、複数の情報をそれぞれ書き込む領域が変更される場合、○月○日に生成された表示オブジェクトＯＢの領域ＶＡ（１）からＶＡ（４）の配置と、×月×日に生成された表示オブジェクトＯＢの領域ＶＡ（１）からＶＡ（４）の配置とは異なることとなる。
【００７６】
これによって、第１の実施形態と同様、乗車券ＴＩＸの不正使用を抑制することができる。
【００７７】
なお、効力情報が書き込まれる領域を固定し、固定した領域の中で、複数の情報を書き込む領域を複数設定してもよい。図１１は、効力情報が書き込まれる領域を固定した表示オブジェクトＯＢの一例を示す図である。図示するように効力情報が書き込まれる領域ＡＲが予め設定される。その領域ＡＲの中に、効力情報を分割した複数の情報が書き込まれる領域ＶＡ（１）からＶＡ（４）が設定される。分割した複数の情報（１）から（４）を書込む領域を領域ＡＲの中で変更する。例えば、○月○日に生成された表示オブジェクトＯＢの領域ＶＡ（１）には発行年、領域ＶＡ（４）には区間情報が書き込まれ、×月×日に生成された表示オブジェクトＯＢでは、領域ＶＡ（１）に書き込まれた情報と、ＶＡ（４）に書き込まれた情報とが入れ替えられる。
【００７８】
（第３の実施形態）
以下、第３の実施形態について説明する。ここでは、第１の実施形態との相違点を中心に説明し、第１の実施形態と共通する機能等についての説明は省略する。第１の実施形態では、発券機１００は、所定周期で管理装置６００から領域指定情報を取得するものとしたが、第３の実施形態では、発券機１００が、乗車券ＴＩＸを発券するごとに、管理装置６００から領域指定情報を取得し、取得した領域指定情報に基づいて、表示オブジェクトＯＢが表示された乗車券ＴＩＸを発券する。
【００７９】
発券機１００は、利用者から乗車券ＴＩＸの購入を指示する入力を受け付けたときに、管理装置６００に領域指定情報の送信を要求する要求信号を送信する。発券機１００の乗車券発行部１２４は、要求信号に応じて管理装置６００から送信された領域指定情報を取得し、取得した領域指定情報によって指定された領域に効力情報を符号化した表示オブジェクトＯＢを生成する。乗車券発行部１２４は、生成した表示オブジェクトＯＢを表示させた乗車券ＴＩＸを発行する。
【００８０】
管理装置６００は、発券機１００から要求信号を取得すると、管理装置記憶部６２０に記憶された領域指定情報を取得し、取得した領域指定情報を発券機１００に返信する。
【００８１】
図１２は、第３の実施形態の発券機１００、および管理装置６００により実行される処理の流れを示すシーケンス図である。
【００８２】
まず、発券機１００が、乗車券ＴＩＸの購入を指示する入力を受け付けるまで待機する（ステップＳ２００）。乗車券ＴＩＸの購入を指示する入力を受け付けると、発券機１００が、管理装置６００に領域指定情報の送信を要求する要求信号を送信する（ステップＳ２０２）。次に、管理装置６００が、要求信号を取得すると、管理装置記憶部６２０に記憶された領域指定情報を取得し（ステップＳ２０４）、取得した領域指定情報を発券機１００に返信する（ステップＳ２０６）。例えば、管理装置６００は、要求信号に対する返信ごとに異なる領域を指定する領域指定情報を送信してもよい。
【００８３】
次に、発券機１００は、管理装置６００から領域指定情報を取得すると、ステップＳ２０２で受け付けた情報、取得した領域指定情報、および発券機側記憶部１４０に記憶された発券機側運賃テーブル１４２に基づいて、表示オブジェクトＯＢを生成し、生成した表示オブジェクトＯＢが表示された乗車券ＴＩＸを乗車券発行部１２４に発行させる（ステップＳ２０８）。
【００８４】
上述した処理によって、発券機１００が、乗車券ＴＩＸを発券するごとに、表示オブジェクトＯＢの異なる領域に効力情報を書き込むことができるため、より効果的に乗車券ＴＩＸの不正使用を抑制することができる。
【００８５】
（第４の実施形態）
以下、第４の実施形態について説明する。ここでは、第１の実施形態との相違点を中心に説明し、第１の実施形態と共通する機能等についての説明は省略する。第１の実施形態では、自動改札機２００が、領域指定情報と、表示オブジェクトＯＢに符号化された情報に基づいて、利用者の通過を許可するか否かを判定するものとしたが、第４の実施形態では、管理装置６００が、発券機１００のからの判定依頼に基づいて利用者の通過を許可するか否かの判定を行う。
【００８６】
自動改札機２００は、画像処理部２５８により取得された情報を管理装置６００に送信し、取得した情報について入場または出場の条件を満たすか否かの判定を依頼する。自動改札機２００は、当該駅が入場駅であるか、或いは当該駅が出場駅であるかを示す情報や、駅の識別番号、自動改札機２００の識別情報に対応付けて、画像処理部２５８により取得された情報を管理装置６００に送信する。
【００８７】
管理装置６００は、領域指定情報テーブル６３０に格納された領域指定情報に基づいて、自動改札機２００から取得した情報から効力情報を取得する。管理装置６００は、取得した効力情報に基づいて、利用者の入場（または出場）を許可するか否かを判定し、判定結果を自動改札機２００に送信する。
【００８８】
図１３は、第４の実施形態の自動改札機２００、および管理装置６００により実行される処理の流れを示すシーケンス図である。まず、自動改札機２００は、発券機１００により発券された乗車券ＴＩＸがリーダ２１２に翳されるまで待機する（ステップＳ３００）。利用者により乗車券ＴＩＸが翳されると、画像処理部２５８が、リーダ２１２により取得された画像を解析し、乗車券ＴＩＸに表示された表示オブジェクトＯＢに符号化された情報を取得する（ステップＳ３０２）。表示オブジェクトＯＢに符号化された情報を取得することができなかった場合、改札処理部２６０は、扉部２２４を閉止状態にしたり、再度、表示オブジェクトＯＢをリーダ２１２に翳すように促す情報を上面表示部２２０に表示させたりする。
【００８９】
改札処理部２６０は、乗車券ＴＩＸに表示された表示オブジェクトＯＢに符号化された情報を取得すると、取得した情報を管理装置６００に送信する（ステップＳ３０４）。
【００９０】
管理装置６００は、自動改札機２００から表示オブジェクトＯＢに符号化された情報を取得すると、発券機１００に送信した領域指定情報に基づいて、自動改札機２００から取得した情報に含まれる効力情報を取得する（ステップＳ３０６）。次に、管理装置６００は、ステップＳ２１４で取得した効力情報に基づいて、利用者の通過を許可できるか否かを判定する（ステップＳ３０８）。次に、管理装置６００は、ステップＳ２１６の判定結果を自動改札機２００に送信する（ステップＳ３１０）。
【００９１】
例えば、管理装置６００が、領域指定情報に基づいて、効力情報を取得することができなかった場合、或いは効力情報を取得することができたが取得した効力情報が利用者の通過を許可することができる条件を満たさなかった場合、利用者の通過を不許可とすることを示す情報を自動改札機２００に送信する。
【００９２】
例えば、管理装置６００が、領域指定情報に基づいて、効力情報を取得することができ、且つ取得した効力情報が利用者の通過を許可することができる条件を満たした場合、利用者の通過を許可することを示す情報を自動改札機２００に送信する。
【００９３】
次に、自動改札機２００が、管理装置６００から送信された判定結果を取得すると、判定結果に基づいて、扉部２２４や、上面表示部２２０等を制御することで利用者の通過を制御する（ステップＳ３１２）。
【００９４】
上述した処理によって、自動改札機２００は、管理装置６００から利用者が当該駅を入場（または出場）することができるか否かの判定結果を取得し、取得した判定結果に基づいて、利用者の通過を制御することにより、自動改札機２００の処理負荷を低減させることができる。
【００９５】
また、駅務システム１は、第３の実施形態および第４の実施形態を組み合わせて処理を実行してもよい。この場合、例えば管理装置６００は、領域指定情報と、領域指定情報に対応付けられたキーコードを発券機１００に送信してもよい。管理装置６００の管理装置記憶部６２０には、上述した情報テーブルＩＴと同様の領域指定情報およびキーコードが互いに対応付けられた情報テーブルが格納される。
【００９６】
発券機１００の乗車券発行部１２４は、管理装置６００から取得した領域指定情報とキーコードとに基づいて、表示オブジェクトＯＢを生成し、表示オブジェクトＯＢが表示された乗車券ＴＩＸを発行する。乗車券発行部１２４は、キーコードを示す情報を表示オブジェクトＯＢにおいて予め設定された領域に書き込んでもよいし、任意の領域に書き込んでもよい。
【００９７】
自動改札機２００は、利用者によって乗車券ＴＩＸがリーダ２１２に翳され、表示オブジェクトＯＢに符号化されたすべての情報を取得する。自動改札機２００は、表示オブジェクトＯＢから取得したすべての情報を管理装置６００に送信する。
【００９８】
管理装置６００は、自動改札機２００から送信された情報を取得する。例えば任意の領域にキーコードが書き込まれている場合、管理装置６００は、取得した情報にキーコードが含まれているか否かを判定する。管理装置６００は、取得した情報にキーコードが含まれている場合、情報テーブルを参照し、取得したキーコードに対応付けられている領域指定情報を取得する。管理装置６００は、取得した領域指定情報から効力情報を取得し、取得した効力情報と、管理装置記憶部６２０に記憶された運賃テーブルに基づいて、利用者の通過を許可するか否かの判定を行う。なお、キーコードが表示オブジェクトＯＢの予め設定された領域に書き込まれている場合、管理装置６００は、予め設定された領域からキーコードを取得する。管理装置６００は、キーコードに対応付けられた領域指定情報に基づいて、効力情報を取得する。また、キーコードは、キーコードを用いて所定の演算を行うと、領域指定情報が得られる情報であってもよい。この場合、管理装置６００が、情報テーブルを保持することを省略することができる。
【００９９】
駅務システム１は、第３の実施形態および第４の実施形態を組み合わせて処理を実行することにより、より効果的に乗車券ＴＩＸの不正使用を抑制することができる。
【０１００】
以上説明した少なくともひとつの実施形態によれば、乗車券により表示される表示オブジェクトＯＢにおいて、乗車券の効力情報をエンコードした情報が書き込まれた領域を指定する領域指定情報を管理装置から、受信する駅務機器側通信部と、前記駅務機器側通信部により受信された領域指定情報に基づいて、前記表示オブジェクトＯＢから前記乗車券の効力情報を光学的に読み取る光学読取部と、前記光学読取部によって読み取られた効力情報に基づいて、駅務処理を行う処理部とを持つことにより、乗車券の不正使用を抑制することができる。
【０１０１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０２】
１…駅務システム、１００…発券機、１０２…入力部、１２４…乗車券発行部、１３０…発券機側制御部、１２４…乗車券発行部、１３４…発行制御部、１４０…発券機側記憶部、２００…自動改札機、２１２…リーダ、２１４…光学読取部、２５０…制御部、２５２…改札機側記憶部、２５８…画像処理部、２６０…改札処理部、２７０…通過制御部、２８０…改札機側通信部、３００…精算機、３０２…入力部、３１４…精算機側画像処理部、３２４…精算処理部、３２６…精算機側発行制御部、３４０…精算機側記憶部、３５０…精算機側通信部、６００…管理装置、６１０…管理装置側通信部、６１２…管理装置側制御部、６２０…管理装置側記憶部、ＴＩＸ…乗車券
【図１】
2017167631.tif 000003
【図２】
2017167631.tif 000004
【図３】
2017167631.tif 000005
【図４】
2017167631.tif 000006
【図５】
2017167631.tif 000007
【図６】
2017167631.tif 000008
【図７】
2017167631.tif 000009
【図８】
2017167631.tif 000010
【図９】
2017167631.tif 000011
【図１０】
2017167631.tif 000012
【図１１】
2017167631.tif 000013
【図１２】
2017167631.tif 000014
【図１３】
2017167631.tif 000015